(57)【要約】      （修正有）【課題】識別部と収容部との間に詰まった貨幣を利用者に返却すべきであるか、収容部に収容すべきであるか容易に判断することができる入金機を提供すること。【解決手段】投入された紙幣を識別する識別部３２と、識別した紙幣を収容する収容部３４と、非接触ＩＤカード１００に貨幣価値データを記録するリーダライタ４とを備え、識別した紙幣を収容するとともに、収容した紙幣の価値に相当する貨幣価値データを非接触ＩＣカード１００に記録する入金機において、識別部３２から収容部３４に至る搬送経路に紙幣が詰まった場合に取引状態を記載した帳票を発行するプリンタ５を備えるようにした。【選択図】        図３
2005284358.tif 000002
【特許請求の範囲】
【請求項１】
投入された貨幣を識別する識別部と、
識別した貨幣を収容する収容部と、
記録媒体に貨幣価値情報を記録する記録部と
を備え、
識別した貨幣を収容するとともに、収容した貨幣の価値に相当する貨幣価値情報を記録媒体に記録する入金機において、
前記識別部から前記収容部に至る搬送経路に貨幣が詰まった場合に取引状態を記載した帳票を発行するプリンタを備えたことを特徴とする入金機。
【請求項２】
前記搬送経路に詰まった貨幣の価値に相当する貨幣価値情報が記録媒体に記録されていない場合には、前記プリンタが直ちに前記帳票を発行することを特徴とする請求項１に記載の入金機。
【請求項３】
保守の開始を条件に前記プリンタが前記帳票を発行することを特徴とする請求項１又は２に記載の入金機。
【発明の詳細な説明】
【技術分野】
【０００１】
本発明は、投入された貨幣に相当する貨幣価値情報を記録媒体に記録する入金機に関するものである。
【背景技術】
【０００２】
近年、記録媒体に貨幣価値情報（電子マネー）を記録しておき、当該記録媒体によって商品の購入、サービスの提供に関する決済を行うものが普及している。この種の記録媒体においては、記録した貨幣価値情報の残高が少なくなると、商品の購入、サービスの提供に関する決算ができなくなるため、貨幣価値情報を積み増す必要がある。この貨幣価値情報の積み増しに際しては、投入された紙幣を識別する識別部と、識別した紙幣を収容する収容部と、記録媒体に紙幣の価値情報を記録する記録部とを備え、識別した紙幣を収容するとともに、収容した紙幣の価値に相当する価値情報を記録媒体に記録する入金機が利用されている（例えば、特許文献１参照）。
【０００３】
ところで、この入金機において、識別部から収容部に至る搬送経路に紙幣が詰まった場合には、入金機の稼働を中断して、保守員がこの紙幣を取り除かなければならない。そして、取り除いた紙幣の価値に相当する価値情報が記録媒体に記録されていない（入金処理されていない）場合には利用者に返却しなければならず、取り除いた紙幣の価値に相当する価値情報が記録媒体に記録されている（入金処理されている）場合には収容部に収容しなければならない。
【０００４】
【特許文献１】特開２００３−３６４６６号公報
【発明の開示】
【発明が解決しようとする課題】
【０００５】
しかしながら、従来の入金機では、取り除いた紙幣の価値に相当する価値情報が記録媒体に記録されているか否か（入金処理がされているか否か）の判断は紙幣の詰まった位置により判断していたので、取り除いた紙幣を利用者に返却すべきであるか、収容部に収容すべきであるかの判断が困難であった。
【０００６】
本発明は、上記実情に鑑みて、識別部から収容部に至る搬送経路に詰まった貨幣を利用者に返却すべきであるか、収容部に収容すべきであるか容易に判断することができる入金機を提供することを目的とする。
【課題を解決するための手段】
【０００７】
上記の目的を達成するために、本発明の請求項１に係る入金機は、投入された貨幣を識別する識別部と、識別した貨幣を収容する収容部と、記録媒体に貨幣価値情報を記録する記録部とを備え、識別した貨幣を収容するとともに、収容した貨幣の価値に相当する貨幣価値情報を記録媒体に記録する入金機において、前記識別部から前記収容部に至る搬送経路に貨幣が詰まった場合に取引状態を記載した帳票を発行するプリンタを備えたことを特徴とする。
【０００８】
また、本発明の請求項２に係る入金機は、上記請求項１において、前記搬送経路に詰まった貨幣の価値に相当する貨幣価値情報が記録媒体に記録されていない場合には、前記プリンタが直ちに前記帳票を発行することを特徴とする。
【０００９】
また、本発明の請求項３に係る入金機は、上記請求項１又は２において、保守の開始を条件に前記プリンタが前記帳票を発行することを特徴とする。
【発明の効果】
【００１０】
本発明に係る入金機は、識別部から収容部に至る搬送経路に貨幣が詰まった場合に取引状態を記載した帳票を発行するので、帳票を見れば、搬送経路に詰まった貨幣を利用者に返却すべきであるか、収容部に収容すべきであるか容易に判断することができるという効果を奏する。
【００１１】
また、搬送経路に詰まった貨幣の価値に相当する貨幣価値情報が記録媒体に記録されていない場合（詰まった貨幣を利用者に返却すべき場合）には、プリンタが直ちに帳票を発行するので、利用者が帳票を受領でき、その帳票に基づいて後日精算することができるという効果を奏する。
【００１２】
また、保守の開始を条件にプリンタが帳票を発行するので、保守員は貨幣を取り除く前に、利用者に返却すべき貨幣であるか、収容部に収容すべき貨幣であるか判断できるという効果を奏する。
【発明を実施するための最良の形態】
【００１３】
以下に添付図面を参照して、本発明に係る入金機の好適な実施例を詳細に説明する。なお、この実施例によりこの発明が限定されるものではない。
【実施例】
【００１４】
図１は本発明の実施例に係る入金機の外観を示す斜視図、図２は図１に示した入金機の内部構造を説明する概略縦断面図、図３は図１に示した入金機のブロック図である。
【００１５】
本実施例に係る入金機は、記録媒体として非接触ＩＣカード１００を採用している。非接触ＩＣカード１００は、ＩＣチップ（図示せず）と、当該ＩＣチップ（図示せず）に接続したコイル状アンテナ（図示せず）とを有している。ＩＣチップ（図示せず）は、記録部（図示せず）、送受信部（図示せず）および電源整流部（図示せず）を有し、記録部（図示せず）には、積み増し日時、積み増した貨幣価値情報、商品の購入、サービスの提供に際して行った決済情報、残高情報等の情報が記録してある。送受信部（図示せず）は後述するリーダライタ４と情報の送受信を行う部分であり、電源整流部（図示せず）は、リーダライタ４が送信した所定の電波によってコイル状アンテナの共振作用（電磁誘導など）で発生した起電力を、ＩＣチップ（図示せず）の作動電力として得る部分である。なお、記録媒体は、上述した非接触ＩＣカード１００の他に、例えば、携帯通信端末（例えば携帯電話機）が採用可能である。
【００１６】
図１〜図３に示すように、入金機は、非接触ＩＣカード１００に貨幣価値情報を記録するものであり、本体１と、本体１の前面開口部を閉塞する外扉２とを有している。
【００１７】
本体１には、紙幣ユニット３と、リーダライタ４と、プリンタ５と、制御ユニット６と、電源ユニット７とが内蔵してある。
【００１８】
紙幣ユニット３は、投入口部３１と、識別部３２と、保留部３３と、収容部３４とを有し、投入された紙幣は、識別部３２、保留部３３を経由して収容部３４に収容される。
【００１９】
投入口部３１は、紙幣を受け入れる部分であって、外扉２の外表面に表出するように配設してある。なお、本実施例に係る入金機は、一度に一枚の紙幣を受け付けるものであり、一度に複数の紙幣を投入することはできない。
【００２０】
識別部３２は投入口部３１から受け入れた紙幣を識別する部分であって、磁気センサ（図示せず）、光センサ（図示せず）を有している。そして、これらのセンサが取得した情報に基づいて、識別可能な紙幣であるか否かを判断し、識別可能な紙幣である場合には、さらに種類（金種）を特定し、紙幣を保留部３３に送出する。本実施例に係る入金機は、一万円札、五千円札、二千円札、千円札の４種類の紙幣が投入可能であって、これらを識別する識別情報は予め識別部３２に記憶してある。
【００２１】
保留部３３は、識別部３２で識別可能な紙幣であると識別した紙幣を一時的に保留する部分であって、入金処理を中断したときには、保留部３３に保留した紙幣は識別部３２と投入口部３１を経由して利用者に返却される。本実施例に係る入金機は、複数の紙幣を一度に受け付けることができないので、一枚の紙幣が保留可能である。
【００２２】
収容部３４は、保留部３３に保留した紙幣を収容する部分であり、入金処理が終了したときに、保留部３３に保留した紙幣を収容する。
【００２３】
上述した投入口部３１から収容部３４までの搬送経路には、紙幣の詰まりを検出する詰まり検出センサ（図示せず）が複数配設してある。紙幣ユニット３は、投入口部３１から投入した紙幣を各検出センサ（図示せず）が所定のタイミングで検出しない場合に紙幣詰まりと判断する。
【００２４】
リーダライタ４はアンテナ４１を有し、アンテナ４１を介して非接触ＩＣカード１００と情報の送受信が可能である。すなわち、リーダライタ４は、アンテナ４１を介して所定の電波を発信し、非接触ＩＣカード１００のコイル状アンテナ（図示せず）に起電力を生じさせて、ＩＣチップ（図示せず）の作動電力にする。この作動電力により、ＩＣチップ（図示せず）に記録してある残高情報はリーダライタ４に送信され、リーダライタ４は残高情報を取得する。一方、入金された紙幣の価値に相当する価値情報、入金日時などの入金情報はリーダライタ４がアンテナ４１を介して非接触ＩＣカード１００に送信してＩＣチップ（図示せず）に記録する。
【００２５】
プリンタ５は、領収書及び保守用の帳票を発行するものであり、ロール紙（図示せず）とロール紙を切断するカッタ（図示せず）を有し、印字したロール紙の一部を残して切断することにより、領収書、又は保守用の帳票として発行する。
【００２６】
制御ユニット６は、上述した紙幣ユニット３、リーダライタ４、プリンタ５と接続してあり、予めメモリ６１に格納したプログラムやデータに従って、紙幣ユニット３、リーダライタ４、プリンタ５の制御を行うものである。また、制御ユニット６には、ルータ６２が接続してあり、この入金機を管理するセンターサーバ６３に接続してあるルータ６４を介して当該センターサーバ６３と通信可能である。センターサーバ６３との通信は、例えば、紙幣の回収日、回収した紙幣の価値に相当する価値情報の送信等がある。
【００２７】
また、制御ユニット６は設定部６５を有し、入金機に関わる各種設定、たとえば、後述する客レシート（直ちに発行する帳票）の発行設定が可能である。なお、設定部６５は、各種設定事項を実行するための設定キー（図示せず）を有している。
【００２８】
電源ユニット７は、紙幣ユニット３、リーダライタ４、プリンタ５、制御ユニット６と接続してあり、これらに対して電力を供給するものである。なお、電源ユニット７は、電力の供給をＯＮ／ＯＦＦする電源スイッチ（図示せず）を有している。
【００２９】
上述した紙幣ユニット３、制御ユニット６は、本体１の内部領域において、隔離するように内扉８で隠蔽してある。内扉８は上述した外扉２のさらに内側に開閉可能に取り付けてあり、外扉２を開放した後に開閉可能となる。内扉８は内扉錠８ａを有し、内扉８が閉塞状態にある場合に施錠可能となっている。
【００３０】
また、内扉錠８ａには、その解錠を検出する内扉錠センサ（図示せず）が設けてあり、当該内扉錠センサ（図示せず）は制御ユニット６に接続してある。なお、内扉錠センサ（図示せず）に換えて、内扉８の開放状態を検出する内扉センサ（図示せず）を設け、制御ユニット６に接続しても良い。
【００３１】
外扉２は外扉錠２ａを有しており、外扉２が本体１の前面開口部を閉塞している場合に施錠可能である。なお、本体１と外扉２との間には、外扉２の開放状態を検出する外扉センサ（図示せず）を設けて当該外扉センサを制御ユニット６に接続してもよい。
【００３２】
外扉２の外表面には、上述したように、紙幣ユニット３の投入口部３１が表出しており、投入口部３１の近傍には表示部２１と、操作部２２とが配設してある。また、外扉２の下方部には凹部２３が形成してあり、この凹部２３には、載置台２４が取り付けてある。
【００３３】
表示部２１は制御ユニット６に接続してあり、入金機が稼働中である旨の表示（稼働中表示）、非接触ＩＣカード１００に記録してある残高情報の表示（残高表示）、入金機に投入した紙幣の価値に相当する価値情報の表示（投入金情報表示）が可能である。すなわち、待機状態において、表示部２１に入金機が稼働中である旨を表示し、利用者が載置台２４に非接触ＩＣカード１００を載置した場合には、入金機は非接触ＩＣカード１００から残高情報を読み出して残高情報を表示部２１に表示する。また、載置台２４に非接触ＩＣカード１００を載置した状態において、投入口部３１から紙幣を投入した場合には、残高情報に換えて、投入金情報を表示部２１に表示する。
【００３４】
操作部２２は、入金ボタン２５と、取消ボタン２６と、レシートボタン２７とを有しており、これらは上述した制御ユニット６に接続してある。これらの選択ボタン２５，２６，２７は外扉の上部右縁に沿って配設してあり、入金ボタン２５、取消ボタン２６、レシートボタン２７の近傍には、それぞれ、入金ＬＥＤ２８、取消ＬＥＤ２９、レシートＬＥＤ３０が配設してあり、入金ボタン２５、取消ボタン２６、レシートボタン２７の押下が有効であるか否か表示可能である。したがって、入金ボタン２５の押下が有効であるときには入金ＬＥＤ２８が点灯し、取消ボタン２６の押下が有効であるときには取消ＬＥＤ２９が点灯する。また、レシートボタン２７の押下が有効であるときにはレシートＬＥＤ３０が点灯する。なお、これらのＬＥＤ２８，２９，３０は各選択ボタン２５，２６，２７の押下が有効な場合に単に点灯するだけでなく、点滅を繰り返すことにより、利用者の注目を引くようにしても良い。
【００３５】
載置台２４を配設した凹部２３の上部中程には、レシート放出口２３ａが形成してある。レシート放出口２３ａは上述したプリンタ５に連通し、プリンタ５が発行した領収書等の帳票はこのレシート放出口２３ａから入金機の外部（載置台２４の上方）に放出可能である。
【００３６】
載置台２４は、非接触ＩＣカード１００を載置するものであって、その下縁部には係止片２４ａが起立して設けてある。載置台２４と上述したリーダライタ４のアンテナ４１とは近接しており、非接触ＩＣカード１００とリーダライタ４とは、相互に情報の送受信が可能である。なお、載置台２４には、非接触ＩＣカード１００以外に、ＩＣチップなどを内蔵した携帯通信端末も載置可能である。
【００３７】
図４及び図５に基づいて、実施例に係る入金機が実行する入金処理について説明する。なお、図４は本発明の実施例に係る入金機が実行する入金処理を示すフローチャートであり、図５は入金機が発行した帳票（レシート）を例示した図である。
【００３８】
入金機は、待機状態において、電源ユニット７の電源スイッチ（図示せず）がＯＮ状態にあり、内扉８および外扉２が閉鎖状態にある。この待機状態において、制御ユニット６は、リーダライタ４を制御してアンテナ４１を介して所定の電波を発信するとともに、非接触ＩＣカード１００が取扱中である旨を表示部２１に表示する。
【００３９】
入金機が待機状態にある場合には、制御ユニット６は載置台２４に非接触ＩＣカード１００が載置されたかを判断する（ステップＳ１）。利用者が載置台２４に非接触ＩＣカード１００を載置すると（ステップＳ１：Ｙｅｓ）、制御ユニット６は、非接触ＩＣカード１００に記録してある残高情報を取得して、当該残高を表示部２１に表示する（ステップＳ２）。
【００４０】
つぎに、紙幣ユニット３の投入口部３１から紙幣を投入すると（ステップＳ３：Ｙｅｓ）、制御ユニット６は投入した紙幣の価値に相当する価値情報を識別部３２から取得して、残高情報に換えて、投入した紙幣の価値情報（投入金情報）を表示部２１に表示する（ステップＳ４）。そして、入金ＬＥＤ２８と取消ＬＥＤ２９とを点灯し、入金ボタン２５と取消ボタン２６の押下が有効となる。
【００４１】
ここで、操作部２２の取消ボタン２６を押下することなく（ステップＳ５：Ｎｏ）、操作部２２の入金ボタン２５を押下すると（ステップＳ６：Ｙｅｓ）、制御ユニット６は、リーダライタ４を介して、投入した紙幣の価値に相当する価値情報を非接触ＩＣカード１００に記録する（ステップＳ７）。そして、入金ＬＥＤ２８と取消ＬＥＤ２９とが消灯するとともにレシートＬＥＤ３０が点灯し、レシートボタン２７の押下が有効となる。
【００４２】
その後、操作部２２のレシートボタン２７を押下すると（ステップＳ８：Ｙｅｓ）、制御ユニット６は、プリンタ５を制御することによって領収書を発行して当該領収書をレシート放出口２３ａから放出し（ステップＳ９）、入金処理を終了する。そして、レシートＬＥＤ３０が消灯する。
【００４３】
ここで、発行した領収書は、図５に示すように、領収書の発行日時、センターサーバ６３のＩＤ番号である上位端末ＩＤ、非接触ＩＣカード１００のカード番号、入金前の残高であるチャージ前残高、入金後の残高であるチャージ後残高、投入紙幣の種類を示す投入紙幣（紙幣の種類が印字される）、投入紙幣の枚数（本実施例は紙幣を１枚だけ受け入れるので１枚が印字される）、投入金である入金が印字してある。
【００４４】
なお、上記入金処理において、操作部２２の取消ボタン２６を押下した場合（ステップＳ５：Ｙｅｓ）、制御ユニット６は、紙幣ユニット３を制御して投入した紙幣を投入口部３１から返却して（ステップＳ１０）、入金処理を終了する。
【００４５】
また、上記入金処理において、所定時間が経過しても操作部２２のレシートボタン２７を押下しなかったとき、操作部２２のレシートボタン２７を押下せずに載置台２４から非接触ＩＣカード１００が取り除いたとき（ステップＳ８：Ｎｏ）は、レシートＬＥＤ３０を消灯して領収書を発行することなく、入金処理を終了する。
【００４６】
なお、上記入金処理において、識別部３２が投入された紙幣を識別できなかった場合には、紙幣ユニット３は当該紙幣を逆送して利用者に返却し、入金処理を終了する。
【００４７】
また、上記入金処理において、投入した紙幣の価値に相当する価値情報が非接触ＩＣカード１００に記録されなかったとき、例えば、入金ボタン２５を押下する前に、載置台２４から非接触ＩＣカード１００を取り除いたときには、投入した紙幣を投入口部３１から返却して入金処理を終了する。
【００４８】
上記入金処理において、投入口部３１から投入した紙幣が識別部３２と収容部３４との間で詰まった場合の保守処理を図６〜図１０を参照して説明する。なお、図７は紙幣が詰まったときに実行する保守処理を説明するフローチャート、図９及び図１０は紙幣が詰まったときに直ちに発行する帳票を示す図、図１０及び図１１は保守の開始を条件に発行する帳票を示す図である。
【００４９】
投入口部３１から投入した紙幣が識別部３２から収容部３４までの搬送経路で紙幣が詰まった場合には、詰まり検出センサ（図示せず）が紙幣の詰まりを検出する（ステップＳ２０）。詰まり検出センサ（図示せず）が紙幣の詰まりを検出すると入金機の稼働を停止する。そして、入金機は客レシート発行設定が設定されているか否かを確認する（ステップＳ２１）。客レシート発行設定がなされている場合には（ステップＳ２１：Ｙｅｓ）、直ちにプリンタ５が取引状態を印字した帳票を発行し、レシート放出口２３ａから放出する（ステップＳ２２）。なお、取り除いた紙幣の価値に相当する価値情報が非接触ＩＣカード１００に記録されている（入金処理されている）場合には、利用者に紙幣を返却する必要がないので、客レシート発行設定がなされている場合でも帳票は発行しない。
【００５０】
ここで、発行した帳票は、図７に示すように、取引状態を示すものであって、帳票の発行日時、紙幣詰まりによって入金機の稼働を停止した停止日時、センターサーバ６３のＩＤ番号である上位端末ＩＤ、非接触ＩＣカード１００のカード番号、入金前の残高であるチャージ前残高、投入紙幣の種類を示す投入紙幣（紙幣の種類が印字される）、投入金である入金、取引状態が印字してある。ただし、紙幣の識別を完了せずに紙幣が詰まった場合には、投入紙幣の種類が不明であるから、投入紙幣、入金の欄には「？」が印字してある。取引状態は、たとえば、「機械内に紙幣が滞留しています」等の紙幣詰まりが発生している旨が印字してある。
【００５１】
なお、取消ボタン２６の押下に起因する紙幣の返却途中における紙幣詰まりでは、既に紙幣の種類を識別してあるので、図８に示すように、投入紙幣、入金の欄には当該紙幣の種類、当該紙幣の価値に相当する価値情報が印字してある。
【００５２】
このように発行した帳票は、入金機の稼働停止後、直ちに発行されるので、利用客はこの帳票を持ち帰り、後日この帳票と非接触ＩＣカード１００を持参すれば、入金機の管理者又は保守員との間で精算が可能となる。
【００５３】
次に、保守員が到着し入金機の保守を開始すると（ステップＳ２３：Ｙｅｓ）、その保守の開始を条件に、入金機は停止時における取引状態を印字した帳票を発行する（ステップＳ２４）。なお、保守の開始は、たとえば、外扉２の開放、あるいは内扉８の開放によって判断する。
【００５４】
ここで、発行した帳票は、図９又は図１０に示すように、入金機の取引状態を示すものであって、帳票の発行日時である印字日時、紙幣詰まりによって入金機の稼働を停止した停止日時、センターサーバ６３のＩＤ番号である上位端末ＩＤ、紙幣詰まりを起こした非接触ＩＣカード１００のカード番号、入金前に収容部に収容した全紙幣の価値に相当する価値情報であるチャージ前残高、投入紙幣の種類を示す投入紙幣（紙幣の種類が印字される）、非接触ＩＣカード１００に記録した価値情報の総額である入金、取引状態が印字してある。ただし、紙幣の識別を完了せずに紙幣が詰まった場合には、投入紙幣の種類が不明であるから、投入紙幣、入金の欄には「？」が印字してある。取引状態は、詰まった紙幣を利用者に返却すべきか、詰まった紙幣を収容部に収容すべきかの指示を示すものである。すなわち、詰まった紙幣を利用者に返却すべき場合には、図９に示すように、「滞留紙幣はお客様へ返却してください」と印字してあり、詰まった紙幣を収容部に収容すべき場合には、図１０に示すように、「滞留紙幣は金庫へ収納してください」と印字してある。
【００５５】
このように、発行した帳票は、入金機の保守の開始を条件に、発行するので、保守員は、この帳票にしたがって、紙幣を返却又は収容すればよいので、詰まった紙幣の処理に迷うことなく処理することが可能となる。
【００５６】
実施例に係る入金機は、識別した紙幣を収容するとともに、収容した紙幣の価値に相当する価値情報を非接触ＩＣカード１００に記録するものとしたが、収容する貨幣は紙幣に限られるものではなく、硬貨を収容するものとしても良い。
【００５７】
以上説明したように、実施例に係る入金機は、識別部３２から収容部３４に至る搬送経路に紙幣が詰まった場合に取引状態を記載した帳票を発行するので、帳票を見れば、搬送経路に詰まった紙幣を利用者に返却すべきであるか、収容部３４に収容すべきであるか容易に判断することができる。
【００５８】
また、搬送経路に詰まった紙幣の価値に相当する貨幣価値情報が非接触ＩＣカード１００に記録されていない場合（詰まった紙幣を利用者に返却すべき場合）には、プリンタ５が直ちに帳票を発行するので、利用者が帳票を受領でき、その帳票に基づいて後日精算することができる。
【００５９】
また、保守の開始を条件にプリンタ５が帳票を発行するので、保守員は紙幣を取り除く前に、利用者に返却すべき紙幣であるか、収容部に収容すべき紙幣であるか判断できる。
【産業上の利用可能性】
【００６０】
以上のように、本発明に係る入金機は、識別した貨幣を収容するとともに、収容した貨幣の価値に相当する貨幣価値情報を非接触ＩＣカード等の記録媒体に記録する入金機に有用であり、特に、貨幣として紙幣を適用する入金機に適している。
【図面の簡単な説明】
【００６１】
【図１】本発明の実施例に係る入金機の外観を示す斜視図である。
【図２】図１に示した入金機の内部構造を説明する概略縦断面図である。
【図３】図１に示した入金機のブロック図である。
【図４】図１に示した入金機が実行する入金処理を説明するフローチャートである。
【図５】図４に示した入金処理において、発行する領収書を示す図である。
【図６】紙幣が詰まった時に実行する保守処理を説明するフローチャートである。
【図７】紙幣が詰まった時に直ちに発行する帳票を示す図である。
【図８】紙幣が詰まった時に直ちに発行する帳票を示す図である。
【図９】紙幣が詰まったときに、保守の開始を条件に発行する帳票を示す図である。
【図１０】紙幣が詰まったときに、保守の開始を条件に発行する帳票を示す図である。
【符号の説明】
【００６２】
３    紙幣ユニット
４    リーダライタ
５    プリンタ
６    制御ユニット
２５    入金ボタン
２６    取消ボタン
２７    レシートボタン
３１    投入口部
３２    識別部
３３    保留部
３４    収容部
１００    非接触ＩＣカード
【図１】
2005284358.tif 000003
【図２】
2005284358.tif 000004
【図３】
2005284358.tif 000005
【図４】
2005284358.tif 000006
【図５】
2005284358.tif 000007
【図６】
2005284358.tif 000008
【図７】
2005284358.tif 000009
【図８】
2005284358.tif 000010
【図９】
2005284358.tif 000011
【図１０】
2005284358.tif 000012